(57)【要約】【課題】回路基板に水が付着することを抑制でき、かつ筐体内に浸入した水を外部に排出できるヘッドアップディスプレイ装置を提供する。【解決手段】ＨＵＤ装置は、画像を表す表示光を出射する表示器と、表示器を制御する制御部が実装される回路基板と、回路基板が収容される下ケース１１と、下ケース１１に組み付けられ、表示光が通過する開口部を有する上ケースと、下ケース１１内に位置し、回路基板を上方から覆う中ケース１３と、を備える。中ケース１３と下ケース１１との間には、水が通過する程度の隙間Ｓが形成され、下ケース１１の底板には、隙間Ｓを通って底板に到達した水を外部に排出するための排水孔が形成される。【選択図】図５
2019043172.tif 000002
【特許請求の範囲】
【請求項１】
画像を表す表示光を出射する表示器と、
前記表示器を制御する制御部が実装される回路基板と、
前記回路基板が収容される下ケースと、
前記下ケースに組み付けられ、前記表示光が通過する開口部を有する上ケースと、
前記下ケース内に位置し、前記回路基板を上方から覆う中ケースと、を備え、
前記中ケースと前記下ケースとの間には、水が通過する程度の隙間が形成され、
前記下ケースの底板には、前記隙間を通って前記底板に到達した水を外部に排出するための排水孔が形成される、
ことを特徴とするヘッドアップディスプレイ装置。
【請求項２】
前記下ケースの底板には、前記排水孔に水を導く傾斜面が形成される、
ことを特徴とする請求項１に記載のヘッドアップディスプレイ装置。
【請求項３】
前記排水孔には、前記排水孔を介した前記下ケース内への異物の侵入を抑制する異物侵入抑制片が設けられる、
ことを特徴とする請求項１又は２に記載のヘッドアップディスプレイ装置。
【請求項４】
前記回路基板の下面に実装される前記制御部と前記中ケースの上方に設けられる電気部品との間を前記隙間を経て接続する電気線を備える、
ことを特徴とする請求項１から３の何れか一項に記載のヘッドアップディスプレイ装置。
【発明の詳細な説明】
【技術分野】
【０００１】
本発明は、ヘッドアップディスプレイ装置に関する。
【背景技術】
【０００２】
従来から、ウインドシールド又はコンバイナ等の被投射部材に虚像を表示するヘッドアップディスプレイ装置が知られている。このヘッドアップディスプレイ装置は、例えば、特許文献１に開示されるように、画像を表す表示光を出射する表示部と、表示部からの表示光を反射する反射部と、表示部等を収容し、反射部にて反射した表示光を通過させる開口を有するケース体（筐体）と、を備える。
【先行技術文献】
【特許文献】
【０００３】
【特許文献１】特開２０１６−３０５０３号公報
【発明の概要】
【発明が解決しようとする課題】
【０００４】
上記特許文献１の構成では、筐体の開口を介して水が内部に浸入した場合、水が筐体内の回路基板に付着するおそれがあり、ヘッドアップディスプレイ装置にとって好ましくなかった。また、筐体は排水機能を有しないことから、筐体内に浸入した水が排出されず、筐体内の湿度が上昇するおそれがあり、ヘッドアップディスプレイ装置にとって好ましくなかった。
【０００５】
本発明は、上記実状を鑑みてなされたものであり、回路基板に水が付着することを抑制でき、かつ筐体内に浸入した水を外部に排出できるヘッドアップディスプレイ装置を提供することを目的とする。
【課題を解決するための手段】
【０００６】
上記目的を達成するため、本発明のヘッドアップディスプレイ装置は、画像を表す表示光を出射する表示器と、前記表示器を制御する制御部が実装される回路基板と、前記回路基板が収容される下ケースと、前記下ケースに組み付けられ、前記表示光が通過する開口部を有する上ケースと、前記下ケース内に位置し、前記回路基板を上方から覆う中ケースと、を備え、前記中ケースと前記下ケースとの間には、水が通過する程度の隙間が形成され、前記下ケースの底板には、前記隙間を通って前記底板に到達した水を外部に排出するための排水孔が形成される。
【発明の効果】
【０００７】
本発明によれば、ヘッドアップディスプレイ装置において、回路基板に水が付着することを抑制でき、かつ筐体内に浸入した水を外部に排出できる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の斜視図である。
【図３】本発明の一実施形態に係る上ケース及びリッド等が取り外されたヘッドアップディスプレイ装置の斜視図である。
【図４】本発明の一実施形態に係るヘッドアップディスプレイ装置の断面図である。
【図５】本発明の一実施形態に係るヘッドアップディスプレイ装置における下ケース、反射鏡及び表示器等の斜視図である。
【図６】本発明の一実施形態に係るヘッドアップディスプレイ装置の下ケースの一部の斜視図である。
【図７】本発明の一実施形態に係るヘッドアップディスプレイ装置の下ケースの平面図である。
【図８】本発明の一実施形態に係るヘッドアップディスプレイ装置の下ケース、中ケース及び表示器の平面図である。
【図９】本発明の一実施形態に係るヘッドアップディスプレイ装置の下ケース、中ケース及び表示器の斜視図である。
【図１０】本発明の一実施形態に係る筐体を取り外したヘッドアップディスプレイ装置の側面図である。
【図１１】本発明の一実施形態に係るヘッドアップディスプレイ装置の断面図である。
【図１２】本発明の一実施形態に係るヘッドアップディスプレイ装置における表示器の斜視図である。
【発明を実施するための形態】
【０００９】
本発明のヘッドアップディスプレイ装置（以下、ＨＵＤ装置と呼ぶ）の一実施形態について図面を参照して説明する。なお、以下では、運転者から見た方向に基づき、前後、左右、上下方向が規定されている。
【００１０】
図１に示すように、ＨＵＤ装置１は、車両７のダッシュボード５に内蔵される。ＨＵＤ装置１は、表示光Ｌを生成し、生成した表示光ＬをＨＵＤ装置１のコンバイナ４０に向けて出射する。この表示光Ｌは、コンバイナ４０で反射して、車両７の運転者２に到達する。これにより、コンバイナ４０には、表示光Ｌに対応する虚像Ｖが運転者２により視認可能に表示される。
【００１１】
図２〜図４に示すように、ＨＵＤ装置１は、下ケース１１及び上ケース１２を含む筐体１０と、表示器２０と、回路基板３０と、コンバイナ４０と、反射鏡５０と、リッド６０と、中ケース１３と、を備える。
【００１２】
筐体１０は、遮光性の樹脂により箱状に形成され、ＨＵＤ装置１の各部が収容される。
下ケース１１は、図４に示すように、上方向に開口した箱状をなし、表示器２０、回路基板３０、中ケース１３及び反射鏡５０が収容される。例えば、下ケース１１は、回路基板３０、表示器２０及び中ケース１３を収容する部位として、図７に示すように、略長方形板状の底板１４と、底板１４の周囲を囲む４つの側壁１５ａ，１５ｂ，１５ｃ，１５ｄと、を備える。
【００１３】
側壁１５ａ，１５ｃは、左右方向に延び、前後方向において互いに対面する。側壁１５ａは後側に位置し、側壁１５ｃは前側に位置する。側壁１５ｂ，１５ｄは、側壁１５ａ，１５ｃの間において前後方向に延び、左右方向において互いに対面する。側壁１５ｂは右側に位置し、側壁１５ｄは左側に位置する。側壁１５ｃは、図６に示すように、底板１４に近づくにつれて後方向に進む曲面１５ｃ１を備える。
【００１４】
底板１４には、図７に示すように、４つの排水孔１４ａ，１４ｂ，１４ｃ，１４ｄが形成されている。４つの排水孔１４ａ，１４ｂ，１４ｃ，１４ｄは左右方向に沿って並んでいる。
排水孔１４ａ，１４ｂは、左右方向における底板１４の中央に設けられ、底板１４における側壁１５ｃの曲面１５ｃ１に近い位置に設けられている。
排水孔１４ｃ，１４ｄは、底板１４と曲面１５ｃ１の間に形成され、それぞれ左右方向における底板１４の縁部に設けられている。すなわち、排水孔１４ｃは側壁１５ｂに近い位置に設けられ、排水孔１４ｄは側壁１５ｄに近い位置に設けられている。
【００１５】
排水孔１４ａ，１４ｂ，１４ｃ，１４ｄには、それぞれ異物侵入抑制片１４ａ１，１４ｂ１，１４ｃ１，１４ｄ１が設けられている。異物侵入抑制片１４ａ１，１４ｂ１，１４ｃ１，１４ｄ１は、対応する排水孔１４ａ，１４ｂ，１４ｃ，１４ｄ内に異物が侵入することを抑制する。これにより、異物を介して回路基板３０に静電気が発生することが抑制される。
詳しくは、異物侵入抑制片１４ｃ１は、図６に示すように、下ケース１１内において排水孔１４ｃをその径方向に沿って通過する棒状に形成される。より詳しくは、異物侵入抑制片１４ｃ１は、Ｌ字棒状をなし、その一端が底板１４における排水孔１４ｃの外周に連結され、その他端が曲面１５ｃ１における排水孔１４ｃの外周に連結される。
異物侵入抑制片１４ａ１は、下ケース１１内において排水孔１４ｃをその径方向に沿って通過する直線に延びる棒状に形成される。
図７に示すように、異物侵入抑制片１４ｄ１は、排水孔１４ｄに対応して形成され、異物侵入抑制片１４ｃ１と同様の形状をなす。また、異物侵入抑制片１４ｂ１は、排水孔１４ｂに対応して形成され、異物侵入抑制片１４ａ１と同様の形状をなす。
【００１６】
下ケース１１の底板１４には、排水孔１４ａ，１４ｂ，１４ｃ，１４ｄへ水を導く傾斜面１４ｅ，１４ｆ，１４ｇ，１４ｈ，１４ｉが形成される。
傾斜面１４ｅは、底板１４の後側に形成され、前方向に向かうにつれて下方へ傾斜している。この傾斜面１４ｅにより、図７の矢印Ａ１で示すように、排水孔１４ａ，１４ｂ，１４ｃ，１４ｄに向かって水が流れる。
傾斜面１４ｆは、傾斜面１４ｅの前方であって、排水孔１４ａ，１４ｃの間に形成されている。傾斜面１４ｆは、排水孔１４ｃに向かうにつれて下方へ傾斜している。この傾斜面１４ｆにより、矢印Ａ２で示すように、排水孔１４ｃに向かって水が流れる。
傾斜面１４ｇは、側壁１５ｂ，１５ｄに隣接する位置であって、傾斜面１４ｅに連結して形成される。傾斜面１４ｇは、傾斜面１４ｅに向かうにつれて下方へ傾斜している。この傾斜面１４ｇにより、矢印Ａ４で示すように、傾斜面１４ｅに向かって水が流れる。
傾斜面１４ｈは、傾斜面１４ｆの右方向に位置し、前方向に向かうにつれて下方へ傾斜している。傾斜面１４ｈの前側には、排水孔１４ｃが形成されている。この傾斜面１４ｈにより、排水孔１４ｃに向かって水が流れる。
傾斜面１４ｉは、傾斜面１４ｆの左方向に位置し、前方向に向かうにつれて下方へ傾斜している。傾斜面１４ｉの前側には、排水孔１４ａが形成されている。この傾斜面１４ｉにより、排水孔１４ａに向かって水が流れる。
ここでは、下ケース１１の右半分に形成された傾斜面１４ｅ，１４ｆ，１４ｇ，１４ｈ，１４ｉについて説明したが、この右半分と左右対称をなすように下ケース１１の左半分についても同様の傾斜面が形成されている。
【００１７】
中ケース１３は、図４に示すように、遮光性の樹脂により形成され、回路基板３０を保護するために設けられる。中ケース１３は、図８に示すように、回路基板３０の上面を覆う上板１３ａと、回路基板３０の側周面を覆う側板１３ｂと、を備える。
上板１３ａは、前後方向及び左右方向に沿って水平に形成されている。
中ケース１３の側板１３ｂと下ケース１１の側壁１５ａ，１５ｂ，１５ｃ，１５ｄとの間には隙間Ｓが形成されている。この隙間Ｓは、水及び電気線であるハーネス８１，８２（図５及び図１０参照）が通過可能な長さに設定されている。
【００１８】
ハーネス８１の一端は、図５に示すように、モータ８５に接続される。モータ８５は、図４に示すリッド６０及びコンバイナ４０を動作させるためのものである。ハーネス８１は、モータ８５から中ケース１３の上板１３ａの上面を沿って、中ケース１３の側板１３ｂと下ケース１１の側壁１５ａとの間の隙間Ｓを通る。ハーネス８１の他端は、図４に示すように、回路基板３０のコネクタ部３３ａに接続される。なお、ハーネス８１は、モータ８５に限らず、図示しない照度センサと回路基板３０のコネクタ部３３ａとの間を電気的に接続してもよい。
【００１９】
一方、ハーネス８２の一端は、図１０に示すように、表示器２０に接続される。ハーネス８２は、中ケース１３の側板１３ｂと下ケース１１の側壁１５ｃとの間の隙間Ｓを通る。ハーネス８１の他端は、回路基板３０のコネクタ部３３ｂに接続される。
また、中ケース１３の上板１３ａには、図４に示すように、上下方向に貫通する開口孔１３ｃが形成されている。中ケース１３の上板１３ａには、開口孔１３ｃを塞ぐように表示器２０が設置される。
【００２０】
上ケース１２は、下ケース１１の開口部を塞ぐように下ケース１１に嵌め込まれる。上ケース１２には、コンバイナ４０を外部に突出させるための開口部１２ａが形成されている。
【００２１】
反射鏡５０は、表示器２０からの表示光Ｌを開口部１２ａに向けて反射する。反射鏡５０は、長方形板状をなし、下ケース１１内における表示器２０及び中ケース１３よりも後方に配置される。
【００２２】
コンバイナ４０は、図４に示すように、反射鏡５０からの表示光Ｌを運転者２に向けて反射する。コンバイナ４０は、例えば、ハーフミラー、ホログラム素子等により構成された曲面板状に形成される。コンバイナ４０は、筐体１０内の図示しないモータ及び歯車機構により、左右方向（幅方向）に沿う回転軸Ｏ１を中心に回転する。回転軸Ｏ１は、筐体１０内におけるコンバイナ４０の下端部に位置する。コンバイナ４０が回転軸Ｏ１を中心に回転することで、コンバイナ４０は筐体１０内に収容される収容位置と開口部１２ａを介して外部に露出した表示位置との間で切り替わる。
【００２３】
リッド６０は、遮光性の樹脂により、開口部１２ａよりも大きい面積を有する長方形板状に形成される。リッド６０は、筐体１０内において、前後方向に沿ってスライド可能に構成される。リッド６０は、コンバイナ４０が収容位置にあるときには開口部１２ａを塞ぐ位置に存在し、コンバイナ４０が表示位置にあるときには開口部１２ａを開放する位置に存在する。リッド６０は、筐体１０内の図示しないモータ及び歯車機構によりコンバイナ４０と連動してスライド移動する。
【００２４】
回路基板３０は、ＨＵＤ装置１（例えば表示器２０又はモータ８５）を制御する制御部３２が実装されるプリント基板である。回路基板３０は、前後方向及び左右方向に沿う向きに設けられる。また、回路基板３０は、下ケース１１内における反射鏡５０よりも前方であって、表示器２０の下方に設けられる。回路基板３０は、その下面が下ケース１１の底板１４に離間するように、下ケース１１に支持されている。さらに、回路基板３０は、図４に示すように、回路基板３０の上面に形成されるグランドターミナル３１と、回路基板３０の下面に形成され、ハーネス８１，８２が接続されるコネクタ部３３ａ，３３ｂと、を備える。グランドターミナル３１は、左右方向（幅方向）に沿って２つ並べられ、回路基板３０の図示しないグランドパターンに電気的に接続されている。グランドターミナル３１は、金属により形成され、幅方向から見てＺ字状をなしている。
【００２５】
表示器２０は、図４及び図１２に示すように、表示光Ｌを反射鏡５０に向けて出射する。詳しくは、表示器２０は、表示パネル２２と、光源２４ａと、光源基板２４ｂと、レンズ群２５と、ライトボックス２７と、表示パネルカバー２８と、ベゼル２９と、を備える。
【００２６】
ライトボックス２７は光源２４ａからの光を外部に漏らさずに表示パネル２２に到達させる。ライトボックス２７は、遮光性の樹脂により箱状に形成され、表示パネル２２を支持する。
【００２７】
光源２４ａは、回路基板３０の制御部３２の制御のもと、表示パネル２２を照らすバックライトであり、例えば、光源基板２４ｂの後面に実装される。光源２４ａは、複数のＬＥＤ（Ｌｉｇｈｔ  Ｅｍｉｔｔｉｎｇ  Ｄｉｏｄｅ）からなる。光源基板２４ｂは、その後面に実装される光源２４ａからの光が表示パネル２２を経て反射鏡５０に向かうように設けられる。
表示パネル２２は、回路基板３０の制御部３２の制御のもと、画像を表す液晶パネルである。表示パネル２２は、画像を表示しているときに光源２４ａからの光を受けて画像を表す表示光Ｌを出射する。
【００２８】
レンズ群２５は、光源２４ａからの光を平行化するコンデンサレンズ２５ａと、光源２４ａからの光を拡散するレンチキュラレンズ２５ｂと、を備える。
【００２９】
ベゼル２９は、図１２に示すように、表示パネル２２の周囲を囲む部材であり、ベゼル２９は、金属板がプレス加工されることにより形成される。
詳しくは、ベゼル２９は、枠部２９ａと、グランド接触部２９ｂと、を備える。
枠部２９ａは、表示パネル２２の外周に沿う長方形枠状をなす。
グランド接触部２９ｂは、枠部２９ａの下辺の両端に形成され、回路基板３０のグランドターミナル３１に接触するように下方向に延びる。
【００３０】
表示パネルカバー２８は、ベゼル２９及び表示パネル２２を挟んで、ライトボックス２７に嵌め込まれる。詳しくは、表示パネルカバー２８は、本体部２８ａと、押圧部２８ｄと、を備える。
本体部２８ａは、ライトボックス２７側に開口する箱状をなす。本体部２８ａには、表示パネル２２を露出させる開口部２８ａ１が形成される。
押圧部２８ｄは、グランド接触部２９ｂを押圧することでグランド接触部２９ｂを回路基板３０のグランドターミナル３１に接触させる。
【００３１】
次に、筐体１０の開口部１２ａを介して水が浸入した場合の作用について説明する。
図１１に示すように、筐体１０の開口部１２ａを介して水が浸入した場合、その水は、矢印Ｂ１で示すように、中ケース１３の上板１３ａの上面に付着する。このため、回路基板３０に水が直接に付着することが抑制される。
【００３２】
次に、水が中ケース１３と下ケース１１との隙間Ｓに浸入した場合について説明する。この隙間Ｓに水が浸入する場合としては、中ケース１３の上板１３ａの上面に付着した水が車両７の走行に伴い移動することで隙間Ｓに入ることや筐体１０の開口部１２ａから直接に隙間Ｓに水が入ること等が想定される。
例えば、図９の矢印Ｂ２で示すように、水が中ケース１３と下ケース１１の側壁１５ａとの間の隙間Ｓに浸入した場合、図７に示すように、その水は下ケース１１の底板１４の傾斜面１４ｅに到達する。この場合、この水は、同図の矢印Ａ１で示すように、傾斜面１４ｅに沿って前方向に流れる。そして、この水が傾斜面１４ｆに到達した場合、この水は、同図の矢印Ａ２で示すように、その傾斜面１４ｆに沿って傾斜面１４ｈに向けて流れる。そして、この水が傾斜面１４ｈに到達した場合、この水は、その傾斜面１４ｈに沿って排水孔１４ｃに向けて流れ、排水孔１４ｃを通って外部に排出される。なお、傾斜面１４ｅに沿って流れる水が傾斜面１４ｆを介さずに直接に傾斜面１４ｈに到達した場合もこれと同様に、排水孔１４ｃを通って水が外部に排出される。また、傾斜面１４ｅに沿って流れる水が傾斜面１４ｉに到達した場合、この水は、その傾斜面１４ｉに沿って排水孔１４ａに向けて流れ、排水孔１４ａを通って外部に排出される。
【００３３】
一方、例えば、図９の矢印Ｂ３で示すように、水が中ケース１３と下ケース１１の側壁１５ｂとの間の隙間Ｓに浸入した場合、図７に示すように、その水は下ケース１１の底板１４の傾斜面１４ｇに到達する。この水は、同図の矢印Ａ４で示すように、その傾斜面１４ｇに沿って傾斜面１４ｅ，１４ｈに流れ、上記同様に、排水孔１４ｃを通って外部に排出される。
例えば、図９の矢印Ｂ４で示すように、水が中ケース１３と下ケース１１の側壁１５ｃとの間の隙間Ｓに浸入した場合、図７に示すように、その水は下ケース１１の側壁１５ｃの曲面１５ｃ１に到達する。この水は、曲面１５ｃ１に沿って、傾斜面１４ｆ、傾斜面１４ｈ又は傾斜面１４ｉに流れる。その後、上記と同様に、この水は、傾斜面１４ｆ、傾斜面１４ｈ又は傾斜面１４ｉにより排水孔１４ａ，１４ｃに導かれたうえで、排水孔１４ａ，１４ｃを通って外部に排出される。
ここでは、下ケース１１の右半分についての排水に関する作用について説明したが、下ケース１１の左半分についても、これと同様の作用を生じることで、水が排水孔１４ｂ，１４ｄを介して外部に排出される。
【００３４】
（効果）
以上、説明した一実施形態によれば、以下の効果を奏する。
【００３５】
（１）ＨＵＤ装置１は、画像を表す表示光Ｌを出射する表示器２０と、表示器２０を制御する制御部３２が実装される回路基板３０と、回路基板３０が収容される下ケース１１と、下ケース１１に組み付けられ、表示光Ｌが通過する開口部１２ａを有する上ケース１２と、下ケース１１内に位置し、回路基板３０を上方から覆う中ケース１３と、を備える。中ケース１３と下ケース１１との間には、水が通過する程度の隙間Ｓが形成され、下ケース１１の底板１４には、隙間Ｓを通って底板１４に到達した水を外部に排出するための排水孔１４ａ，１４ｂ，１４ｃ，１４ｄが形成される。
この構成によれば、中ケース１３により、開口部１２ａを介して浸入した水が回路基板３０に付着することを抑制できる。また、排水孔１４ａ，１４ｂ，１４ｃ，１４ｄにより、隙間Ｓを通って底板１４に到達した水が外部に排出される。このため、筐体１０内の湿度の上昇が抑制される。
また、例えば、中ケース１３の全周にわたって隙間Ｓが形成されることにより、隙間Ｓを介して底板１４に流れる水量を多くできる。これにより、単位時間あたり排水量を高めることができる。
【００３６】
（２）下ケース１１の底板１４には、排水孔１４ａ，１４ｂ，１４ｃ，１４ｄへ水を導く傾斜面１４ｅ，１４ｆ，１４ｇ，１４ｈ，１４ｉが形成される。
この構成によれば、傾斜面１４ｅ，１４ｆ，１４ｇ，１４ｈ，１４ｉにより、底板１４に到達した水を排水孔１４ａ，１４ｂ，１４ｃ，１４ｄを介してより確実に外部に排出することができる。
【００３７】
（３）排水孔１４ａ，１４ｂ，１４ｃ，１４ｄには、排水孔１４ａ，１４ｂ，１４ｃ，１４ｄを介した下ケース１１内への異物の侵入を抑制する異物侵入抑制片１４ａ１，１４ｂ１，１４ｃ１，１４ｄ１が設けられる。
一般的に、回路基板３０に手指又はゴミ等の異物が近づくことにより、回路基板３０と異物との間で静電気が発生するおそれがあり、この静電気は回路基板３０にとって好ましくない。上記構成によれば、異物侵入抑制片１４ａ１，１４ｂ１，１４ｃ１，１４ｄ１により回路基板３０に異物が近づくことが抑制されるため、回路基板３０に静電気が発生することが抑制される。よって、回路基板３０及び制御部３２の故障を抑制することができる。
【００３８】
（４）ＨＵＤ装置１は、回路基板３０の下面に実装される制御部３２と中ケース１３の上方に設けられる電気部品である表示器２０、モータ８５又は図示しない照度センサとの間を隙間Ｓを経て接続する電気線であるハーネス８１，８２を備える。
この構成によれば、隙間Ｓにハーネス８１，８２を通すことにより、隙間Ｓを有効に活用することができる。
【００３９】
（５）中ケース１３は、回路基板３０の上面を覆う上板１３ａと、回路基板３０の側周面を覆う側板１３ｂと、を備える。
この構成によれば、中ケース１３の側板１３ｂにより、回路基板３０と中ケース１３の上板１３ａの間に水が浸入することが抑制される。また、水が隙間Ｓにおいて側板１３ｂに沿って下ケース１１の底板１４に向けて流れ易くなり、これにより、水が排水孔１４ａ，１４ｂ，１４ｃ，１４ｄを介して外部に排出され易くなる。
【００４０】
（変形例）
なお、上記実施形態は、これを適宜変更した以下の形態にて実施することができる。
【００４１】
上記実施形態における、下ケース１１の底板１４に形成される傾斜面１４ｅ，１４ｆ，１４ｇ，１４ｈ，１４ｉの数、位置及び形状等は、水を排水孔１４ａ，１４ｂ，１４ｃ，１４ｄに導くことができれば適宜変更可能である。また、排水孔１４ａ，１４ｂ，１４ｃ，１４ｄの数、位置及び形状等も、水を外部に排出可能であれば、適宜変更可能である。
【００４２】
上記実施形態においては、異物侵入抑制片１４ａ１，１４ｂ１，１４ｃ１，１４ｄ１は排水孔１４ａ，１４ｂ，１４ｃ，１４ｄに対して下ケース１１内に設けられていたが、下ケース１１外に設けられていてもよい。これにより、回路基板３０と異物との距離をより保つことができる。また、異物侵入抑制片１４ａ１，１４ｂ１，１４ｃ１，１４ｄ１は省略されてもよい。
【００４３】
上記実施形態においては、中ケース１３の上板１３ａの上面は、平面状に形成されていたが、上板１３ａの上面に付着した水を隙間Ｓに導くように縁部に向かうにつれて下方に傾斜した傾斜面を有していてもよい。
また、中ケース１３の側板１３ｂは省略されてもよい。
【００４４】
上記実施形態においては、中ケース１３の全周にわたって隙間Ｓが形成されていたが、これに限らず、中ケース１３の全周のうち一部が下ケース１１の側壁１５ａ，１５ｂ，１５ｃ，１５ｄと接触していてもよい。
【００４５】
上記実施形態においては、ＨＵＤ装置１は、コンバイナ４０を有していたが、コンバイナ４０を有さずに車両７のウインドシールドに表示光Ｌを投射してもよい。また、リッド６０は省略してもよい。
【００４６】
上記実施形態においては、ＨＵＤ装置１は、車両７に搭載されていたが、これに限らず、ＨＵＤ装置１は船舶、航空機等のその他の乗り物に搭載されていてもよい。さらに、ＨＵＤ装置１は、乗り物に搭載されるものに限らず、屋内又は屋外で使用されてもよい。
【符号の説明】
【００４７】
１  ＨＵＤ装置
２  運転者
５  ダッシュボード
７  車両
１０  筐体
１１  下ケース
１２  上ケース
１２ａ  開口部
１３  中ケース
１３ａ  上板
１３ｂ  側板
１４  底板
１４ａ，１４ｂ，１４ｃ，１４ｄ  排水孔
１４ａ１，１４ｂ１，１４ｃ１，１４ｄ１  異物侵入抑制片
１４ｅ，１４ｆ，１４ｇ，１４ｈ，１４ｉ  傾斜面
１５ａ，１５ｂ，１５ｃ，１５ｄ  側壁
１５ｃ１  曲面
２０  表示器
３０  回路基板
３１  グランドターミナル
３２  制御部
３３ａ，３３ｂ  コネクタ部
４０  コンバイナ
５０  反射鏡
６０  リッド
８１，８２  ハーネス
８５  モータ
【図１】
2019043172.tif 000003
【図２】
2019043172.tif 000004
【図３】
2019043172.tif 000005
【図４】
2019043172.tif 000006
【図５】
2019043172.tif 000007
【図６】
2019043172.tif 000008
【図７】
2019043172.tif 000009
【図８】
2019043172.tif 000010
【図９】
2019043172.tif 000011
【図１０】
2019043172.tif 000012
【図１１】
2019043172.tif 000013
【図１２】
2019043172.tif 000014